(57)【要約】【課題】リテーナの内部に浸入した水を確実に排水できるエアバッグ装置の排水構造を提供する。【解決手段】フードＨとフロントガラスＧとの間に設けられ、上方へ膨張展開するエアバッグ２と、エアバッグ２を収納するリテーナ３とを備えたエアバッグ装置１において、リテーナ３の内部に浸入した水を排水する排水構造であって、リテーナ３の底部に排水孔６を形成するとともに、リテーナ３の外面側において、排水孔６に対して距離を空けて対向配置され、排水孔６からの水の浸入を防止する浸入防止部材７を設けた。【選択図】      図２
2007001322.tif 000002
【特許請求の範囲】
【請求項１】
フードとフロントガラスとの間に設けられ、上方へ膨張展開するエアバッグと、前記エアバッグを収納するリテーナとを備えたエアバッグ装置において、前記リテーナの内部に浸入した水を排水する排水構造であって、
前記リテーナの底部に排水孔を形成するとともに、前記リテーナの外面側において、前記排水孔に対して距離を空けて対向配置され、前記排水孔からの水の浸入を防止する浸入防止部材を設けたことを特徴とするエアバッグ装置の排水構造。
【請求項２】
前記リテーナの底部を傾斜状に形成したことを特徴とする請求項１に記載のエアバッグ装置の排水構造。
【請求項３】
前記リテーナの底部に、内部に浸入した大量の水を一時的に溜めるための水溜め用空間を形成し、前記排水孔をこの水溜め用空間の下方に形成したことを特徴とする請求項１または請求項２に記載のエアバッグ装置の排水構造。
【請求項４】
前記リテーナに対する前記浸入防止部材の取り付け部を前記排水孔の周縁部に位置させたことを特徴とする請求項１ないし請求項３のいずれかに記載のエアバッグ装置の排水構造。
【請求項５】
前記浸入防止部材は、一対の上縁部を備えた断面凹形状の単体の板状部材からなり、前記一対の上縁部が前記排水孔を挟んで前記リテーナに取り付けられていることを特徴とする請求項４に記載のエアバッグ装置の排水構造。
【発明の詳細な説明】
【技術分野】
【０００１】
本発明は、フードとフロントガラスとの間に設けられるエアバッグ装置の排水構造に関するものである。
【背景技術】
【０００２】
歩行者に対するエアバッグ装置など車両の外側にエアバッグを展開させる装置の場合、その構造上、フードとフロントガラスの間などの車室外の空間に設置しなくてはならない場合がある。そのため、雨、雪及び洗車等によりエアバッグ装置内に水が浸入するおそれがある。
【０００３】
この問題に対して特許文献１にはエアバッグ装置の防水構造が記載されており、リッドとリテーナとの結合部を水が浸入しにくい構造にする等の技術が記載されている。また、この特許文献１には、同文献の図６に示されるように、リッド７とバックアッププレート３（リテーナ）との結合部から浸入した水を受ける水受け部２０Ａと、排水のための導水部２１Ａとを設ける技術が記載されている。
【特許文献１】特許第３２４５４８９号公報（段落００２２〜００２４、図６）
【発明の開示】
【発明が解決しようとする課題】
【０００４】
前記特許文献１の構造の場合、水受け部２０Ａはバックアッププレート３の内壁上部に形成されていることから、何らかの要因により一度に大量の水がリッド７とバックアッププレート３との結合部から浸入すると、水受け部２０Ａだけでは水を受けきれず、水受け部２０Ａから水がバックアッププレート３の内部に溢れるおそれがある。そして、溢れた水がバックアッププレート３の底部に溜まると、特許文献１の構造ではもうその水を排水することはできない。
【０００５】
本発明は以上のような課題を解決するために創案されたものであり、リテーナの内部に浸入した水を確実に排水できるエアバッグ装置の排水構造を提供することを目的としている。
【課題を解決するための手段】
【０００６】
前記課題を解決するため、本発明は、フードとフロントガラスとの間に設けられ、上方へ膨張展開するエアバッグと、前記エアバッグを収納するリテーナとを備えたエアバッグ装置において、前記リテーナの内部に浸入した水を排水する排水構造であって、前記リテーナの底部に排水孔を形成するとともに、前記リテーナの外面側において、前記排水孔に対して距離を空けて対向配置され、前記排水孔からの水の浸入を防止する浸入防止部材を設けたことを特徴とするエアバッグ装置の排水構造とした。
【０００７】
この排水構造によれば、排水孔がリテーナの底部に形成されていることから、リテーナの内部に浸入した水は全てこの排水孔を介して排水される。排水孔が形成されるリテーナの底部とは、リテーナの底部の内でも最低位の箇所を指すものである。そして、排水孔からの水の浸入、たとえば下方から飛んでくる水の飛沫の浸入を浸入防止部材によって阻止できる。したがって、リテーナの内部に水が溜まることがなく、エアバッグ装置の品質が維持される。
【０００８】
また、本発明は、前記リテーナの底部を傾斜状に形成したことを特徴とするエアバッグ装置の排水構造とした。
【０００９】
この排水構造によれば、リテーナの底部が水平面として形成される場合に比して、底部周りにおける水の落下性が良好となり、排水性に優れることとなる。
【００１０】
また、本発明は、前記リテーナの底部に、内部に浸入した大量の水を一時的に溜めるための水溜め用空間を形成し、前記排水孔をこの水溜め用空間の下方に形成したことを特徴とするエアバッグ装置の排水構造とした。
【００１１】
この排水構造によれば、リテーナの内部に大量の水が浸入しても、水は水溜め用空間に流れ込むので、エアバッグなどの浸漬を防ぐことができる。そして、水溜め用空間に一時的に溜まった水は、水溜め用空間の下方に形成された排水孔から排水される。
【００１２】
また、本発明は、前記リテーナに対する前記浸入防止部材の取り付け部を前記排水孔の周縁部に位置させたことを特徴とするエアバッグ装置の排水構造とした。
【００１３】
この排水構造によれば、排水孔を形成したことによるリテーナの強度低下分を浸入防止部材が補強材として補うこととなるので、リテーナの強度が確保される。
【００１４】
また、本発明は、前記浸入防止部材は、一対の上縁部を備えた断面凹形状の単体の板状部材からなり、前記一対の上縁部が前記排水孔を挟んで前記リテーナに取り付けられていることを特徴とするエアバッグ装置の排水構造とした。
【００１５】
この排水構造によれば、浸入防止部材の製造コストも比較的安価で済み、組み付け性も容易となって、経済性に優れた排水構造となる。
【発明の効果】
【００１６】
本発明によれば、リテーナの内部に水が溜まることがなく、エアバッグ装置の品質が維持される。
【発明を実施するための最良の形態】
【００１７】
図１は車両の前部の平面図であって、（ａ）はエアバッグを膨張展開させる前の状態、（ｂ）はエアバッグを膨張展開させた状態を示している。エアバッグ装置１は、走行中に車両が衝突物と衝突した際にエアバッグ２を上方に膨張展開させることにより、衝突物が車両の前部の上面に二次衝突するときの衝撃力を吸収緩和する機能を担うものであり、エンジン等を覆うフードＨとフロントガラスＧとの間に設けられている。図１（ａ）ではエアバッグ装置１を車幅方向中央に１つ設けた場合を示しているが、車幅方向に間隔をおいて複数配設してもよい。また、図１（ｂ）では、膨張展開したエアバッグ２が、フロントガラスＧの下部に沿うとともに、左右のフロントピラーＦＰ（図１（ａ））に沿う形状として示されているが、衝突物の衝撃力を吸収緩和する機能を有していれば、エアバッグ２の膨張展開の形状は図１（ｂ）に示すものに限られない。
【００１８】
「実施例１」
図２（ａ）は図１（ａ）におけるＡ−Ａ断面図、図２（ｂ）は図２（ａ）におけるＢ方向から見た説明図である。エアバッグ装置１は、上方へ膨張展開するエアバッグ２と、エアバッグ２を折り畳んだ状態で収納するリテーナ３とを備えている。本実施形態のリテーナ３は無蓋有底の筐体であって、その上部開口部はリッド４にて塞がれている。リッド４は、フードＨと、フロントガラスＧの下縁に位置するカウルルーバＣ１との間に位置する。リテーナ３の内部の底部近傍には、エアバッグ２の膨張展開用のガスを発生するインフレータ５が収納されており、このインフレータ５のガスによりエアバッグ２が膨張展開し、その過程でリッド４が外れ、エアバッグ２は図１（ｂ）に示したように膨張展開する。
【００１９】
さて、リテーナ３が完全な密閉構造であれば水の浸入のおそれはないが、本実施形態のようにリテーナ３の上部開口部に別部材であるリッド４をあてがう構造では、たとえシール処理を施しても、何らかの要因により両者間の隙間から水がリテーナ３の内部に浸入することが想定される。本発明は、このリテーナ３の内部に浸入した水の排水構造に関するものであって、リテーナ３の底部に排水孔６を形成するとともに、リテーナ３の外面側において、排水孔６に対して距離を空けて対向配置され、排水孔６からの水の浸入を防止する浸入防止部材７を設けたことを主な特徴とするものである。
【００２０】
リテーナ３は、図２（ａ）に示すように、車幅方向から見た断面形状がＵ字状を呈している。つまり、リテーナ３の底部は車幅方向から見た断面形状が円弧状を呈しており、これにより、リテーナ３の底部が水平面として形成される場合に比して、底部周りにおける水の落下性（排水性）が良好となる。このリテーナ３の底部を円弧状に形成した構成は、請求項に記載の「リテーナの底部を傾斜状に形成した」という要件を満たすものである。なお、リテーナ３は、エアバッグ２を後方側に展開させるべく、上部開口部が底部に対して車両後方側に位置するように斜め向きに配置されている。
【００２１】
本実施例では、リテーナ３の底部における最低位の部位において、筐体に段差形状を設けることにより、横方向（図では車両前方側に臨む横方向）に向けて開口する排水孔６を設けた場合を示している。そして、この排水孔６に対して距離を空けて対向配置されるように、平板からなる浸入防止部材７をリテーナ３の底部に取り付けている。具体的には浸入防止部材７は、上縁がリテーナ３の底部に固定され、下縁が車両後方側に位置するように傾斜状に取り付けられる。排水孔６、浸入防止部材７の数や形状、大きさは適宜に決定される。また、リテーナ３に対する浸入防止部材７の取り付け態様は、ねじによる締結、溶接等、特に限定されるものではない。
【００２２】
排水孔６と浸入防止部材７との関係構造については様々なものが考えられるが、本実施例に限らず後記する全ての実施例において、少なくとも、下方から直線状に飛んでくる水の飛沫が浸入防止部材７によって遮られることにより排水孔６に入らない構造、つまり、下方から直線状に飛んでくる水の飛沫が方向転換をしない限り排水孔６に入ることができない構造とすることが重要である。また、本実施例において、浸入防止部材７は排水孔６に対して車両前方側に位置している。この位置関係は、車両の走行中に下方から飛んでくる水の飛沫は主に車両前方側から排水孔６に入りやすいという事象に対処したものである。後記する他の実施例においても、浸入防止部材の少なくとも一部は排水孔の車両前方側に位置している。すなわち、車両前方側の下方から直線状に飛んでくる水の飛沫が浸入防止部材７によって遮られることにより排水孔６に入らない構造となっている。
【００２３】
以上のように、リテーナ３の底部に排水孔６を形成するとともに、リテーナ３の外面側において、排水孔６に対して距離を空けて対向配置され、排水孔６からの水の浸入を防止する浸入防止部材７を設ける構成とすれば、リテーナ３の内部に浸入した水を排水孔６を介して排水でき、かつ、排水孔６からの水の浸入、たとえば下方から飛んでくる水の飛沫の浸入を浸入防止部材７によって阻止できる。したがって、リテーナ３の内部に水が溜まることがなく、エアバッグ装置１の品質が維持される。
【００２４】
また、本実施例のように、排水孔６を横方向に向けて開口する孔とし、浸入防止部材７を傾斜状に配置した平板状の部材として形成すれば、浸入防止部材７の製造コストも安価となり、組み付け性も容易となって、経済性に優れた排水構造となる。
【００２５】
「実施例２」
図３は実施例２の説明図であり、（ａ）、（ｂ）はそれぞれ排水構造の側断面説明図、分解斜視図である。本実施例は、リテーナ３の底部における最低位の部位において、下方向に向けて開口するように排水孔１６を形成し、この排水孔１６に対して距離を空けて対向配置されるように、断面凹形状の浸入防止部材１７を設けた場合を示している。具体的には、浸入防止部材１７は、一対の上縁部１７ａを備えた断面凹形状の単体の板状部材からなり、一対の上縁部１７ａが排水孔１６を車両前後方向に関して挟むようにして排水孔１６の周縁部に取り付け固定されている。浸入防止部材１７の左右両端部は、水を排水させるべく開口部１７ｂを有している。
【００２６】
本実施例においても、リテーナ３の内部に浸入した水を排水孔１６を介して排水でき、かつ、排水孔１６からの水の浸入、たとえば下方から飛んでくる水の飛沫の浸入を浸入防止部材１７によって阻止できる。したがって、リテーナ３の内部に水が溜まることがなく、エアバッグ装置１の品質が維持される。
【００２７】
また、本実施例のように、浸入防止部材１７を、一対の上縁部１７ａを備えた断面凹形状の単体の板状部材から構成し、一対の上縁部１７ａを排水孔１６を挟んでリテーナ３（具体的には排水孔１６の周縁部）に取り付ける構成とすれば、浸入防止部材１７の製造コストも比較的安価で済み、組み付け性も容易となって、経済性に優れた排水構造となる。さらに、本実施例のように、リテーナ３に対する浸入防止部材１７の取り付け部を排水孔１６の周縁部に位置させる構成とすれば、排水孔１６を形成したことによるリテーナ３の強度低下分を浸入防止部材１７が補強材として補うこととなるので、リテーナ３の強度確保の点で有利となる。
【００２８】
「実施例３」
図４は実施例３の説明図であり、（ａ）、（ｂ）はそれぞれ排水構造の側断面説明図、分解斜視図である。本実施例において、リテーナ３の底部における最低位の部位に、下方向に向けて開口するように排水孔１６を形成した点については実施例２と同様である。本実施例の浸入防止部材２７は、第１部材２７Ａと第２部材２７Ｂとの２つの部材で構成されており、両者は排水孔１６を挟んでリテーナ３の底部に取り付け固定されている。図４（ａ）から判るように、第１部材２７Ａと第２部材２７Ｂとは、排水孔１６に対して段違い状に配置されるが、この場合、第１部材２７Ａと第２部材２７Ｂとの両部材の介在によって、下方から直線状に飛んでくる水の飛沫が方向転換をしない限り排水孔１６に入ることができない構造となっている。
【００２９】
本実施例においても、リテーナ３の内部に浸入した水を排水孔１６を介して排水でき、かつ、排水孔１６からの水の浸入、たとえば下方から飛んでくる水の飛沫の浸入を第１部材２７Ａ及び第２部材２７Ｂによって阻止できる。したがって、リテーナ３の内部に水が溜まることがなく、エアバッグ装置１の品質が維持される。
【００３０】
また、本実施例のように浸入防止部材２７を複数の部材から構成すれば、浸入防止部材２７によって形成される排水経路をいわゆるラビリンス構造にしやすくなる。その場合、排水経路を通って水が浸入するに当っては方向転換の回数が増えることになるので、排水孔１６からの水の浸入度合いがより低減されることとなる。
【００３１】
「実施例４」
図５は実施例４の説明図であり、（ａ）、（ｂ）はそれぞれ排水構造の側断面説明図、分解斜視図である。図５（ｂ）に示すように、リテーナ３の底部は、車幅方向に関して中央に向かって下がる傾斜部３１、３１が形成されている。傾斜部３１の形成により、底部周りにおける水の落下性（排水性）が良好となる。このリテーナ３の底部に傾斜部３１を形成した構成も、図５（ａ）に示すようにリテーナ３の底部を円弧状に形成した構成と同様、請求項に記載の「リテーナの底部を傾斜状に形成した」という要件を満たすものである。
【００３２】
本実施例の主な特徴は、リテーナ３の底部に、リテーナ３の内部に浸入した大量の水を一時的に溜めるための水溜め用空間３２を形成し、排水孔３６をこの水溜め用空間３２の下方に形成したことにある。何らかの要因により、リテーナ３の内部に一度に大量の水が流れ込む場合、局所的に設けられる排水孔３６だけでは排水が追いつかず、エアバッグ２やインフレータ５が水に浸漬するおそれがある。
【００３３】
これに対し、リテーナ３の底部に凹状となる水溜め用空間３２を形成すれば、リテーナ３内に大量の水が浸入しても、水は水溜め用空間３２に流れ込むので、エアバッグ２やインフレータ５の浸漬を防ぐことができる。そして、水溜め用空間３２に一時的に溜まることとなる大量の水は、水溜め用空間３２の下方に形成された排水孔３６から排水される。水溜め用空間３２には、エアバッグ２やインフレータ５等のエアバッグ装置１の構成部品が存しないため、排水に時間がかかってもさほど問題はない。
【００３４】
本実施例では、傾斜部３１、３１の下端、つまりリテーナ３の車幅方向中央の底部において、下方に向けて鉛直状に四方を囲む壁部３３を形成し、その内部空間を水溜め用空間３２としている。その下端に形成される排水孔３６に対して距離を空けて対向配置されるように、浸入防止部材３７がリテーナ３の底部に取り付けられている。この浸入防止部材３７により、排水孔３６からの水の浸入、たとえば下方から飛んでくる水の飛沫の浸入が阻止される。
【００３５】
なお、図５（ｂ）では、傾斜部３１、３１にもそれぞれ排水孔３８、３８を設けた場合を示している。図示はしないが、この排水孔３８、３８に対しても浸入防止部材がそれぞれ設けられる。
【００３６】
以上、本発明について好適な実施形態を説明した。説明した実施例は、いずれも浸入防止部材をリテーナとは別部材とした構成であるが、両者を一体の部材から成型した場合であっても本発明に包含されるものである。
【図面の簡単な説明】
【００３７】
【図１】車両の前部の平面図であって、（ａ）はエアバッグを膨張展開させる前の状態、（ｂ）はエアバッグを膨張展開させた状態を示す。
【図２】実施例１の説明図であり、（ａ）は図１（ａ）におけるＡ−Ａ断面図、（ｂ）は図２（ａ）におけるＢ方向から見た説明図である。
【図３】実施例２の説明図であり、（ａ）、（ｂ）はそれぞれ排水構造の側断面説明図、分解斜視図である。
【図４】実施例３の説明図であり、（ａ）、（ｂ）はそれぞれ排水構造の側断面説明図、分解斜視図である。
【図５】実施例４の説明図であり、（ａ）、（ｂ）はそれぞれ排水構造の側断面説明図、分解斜視図である。
【符号の説明】
【００３８】
１    エアバッグ装置
２    エアバッグ
３    リテーナ
６、１６、３６、３８  排水孔
７、１７、２７、３７  浸入防止部材
３２  水溜め用空間
【図１】
2007001322.tif 000003
【図２】
2007001322.tif 000004
【図３】
2007001322.tif 000005
【図４】
2007001322.tif 000006
【図５】
2007001322.tif 000007